(57)【特許請求の範囲】
【請求項１】
照明を操作するための信号を送信するコントローラと、コントローラからの信号を受信して光源を制御する制御部を内蔵した複数の照明器具とで構成され、コントローラから照明の状態を設定あるいは変更する操作信号を第１の照明器具に無線で伝送し、第１の照明器具はコントローラから受信した信号により自己の光源を制御するとともに、操作信号を第２の照明器具に無線で伝送し、第２の照明器具は第１の照明器具から受信した信号により自己の光源を制御する照明装置であって、コントローラと第１の照明器具は特定小電力無線を用いて通信し、第１の照明器具と第２の照明器具は微弱無線を用いて通信することを特徴とする照明装置。
【請求項２】
コントローラに人を検知するセンサを内蔵したことを特徴とする請求項１に記載の照明装置。
【請求項３】
コントローラに周囲の明るさを検出するセンサを内蔵したことを特徴とする請求項１に記載の照明装置。
【請求項４】
コントローラを複数有することを特徴とする請求項１〜３のいずれかに記載の照明装置。
【請求項５】
第１の照明器具は１台のみであり、第２の照明器具は第１の照明器具からの信号のみで動作することを特徴とする請求項１〜４のいずれかに記載の照明装置。
【請求項６】
第１の照明器具は複数であり、そのうちいずれかからの信号で第２の照明器具が動作することを特徴とする請求項１〜４のいずれかに記載の照明装置。
【請求項７】
第１の照明器具は複数であり、第１の照明器具の光源は他の第１の照明器具からの信号で動作することを特徴とする請求項１〜６のいずれかに記載の照明装置。
【発明の詳細な説明】
【０００１】
【発明の属する技術分野】
本発明は特定小電力無線および微弱無線を併用して複数の照明器具の点灯や調光などの制御を行なう照明装置に関するものである。
【０００２】
【従来の技術】
従来、事務所などの空間において複数の照明器具の点灯や調光などの制御を行なう場合、図１２に示すように、各照明器具４に電源線５および電源線とは別の信号線６を接続し、その信号線６に必要な情報を伝送させて個々の照明器具４の制御を行なうのが一般的である。しかし、この方法ではそれぞれの照明器具４に信号線６を接続する必要があり、施工時に信号線６の工事も必要になり、工事点数が増え、効率的な施工ができない。また、信号線６が必要であるため、施工後に器具４を動かす必要が生じた場合などは大掛かりな工事が必要になり、効率的ではない。
【０００３】
【発明が解決しようとする課題】
本発明は上記欠点を解決するためになされたものであり、事務所などの空間において簡単な施工で設置することができ、なおかつ複数の照明器具を連動して制御することができる照明装置を提供することを課題とする。
【０００４】
【課題を解決するための手段】
本発明の照明装置にあっては、上記の課題を解決するために、図１に示すように、照明を操作するための信号を送信するコントローラ１と、コントローラ１からの信号を受信して光源を制御する制御部を内蔵した複数の照明器具２，３とで構成され、コントローラ１から照明の状態を設定あるいは変更する操作信号を第１の照明器具２に無線で伝送し、第１の照明器具２はコントローラ１から受信した信号により自己の光源を制御するとともに、操作信号を第２の照明器具３に無線で伝送し、第２の照明器具３は第１の照明器具２から受信した信号により自己の光源を制御する照明装置であって、コントローラ１と第１の照明器具２は特定小電力無線を用いて通信し、第１の照明器具２と第２の照明器具３は微弱無線を用いて通信することを特徴とするものである。
【０００５】
ここで、無線のデータ通信に用いる手段は、微弱無線と特定小電力無線に大きく分けられる。微弱無線は３２２ＭＨｚ以下の周波数帯で、送信電力が３ｍのところで５００μＶ／ｍ以下であればよく、他の制約もないため比較的簡単な構成で実現でき、そのため安価なシステムが達成できる。しかし、送信電力も弱いため通信距離が１０ｍ程度となり、長距離の通信には不向きである。また特にデータのフォーマットも規定されてないので通信の信頼性もあまり高くなく、近いもの同士の通信にしか用いることができない。
【０００６】
一方、特定小電力無線は４００ＭＨｚ帯の周波数帯で送信電力が１ｍＷ以下（４２６ＭＨｚ）もしくは１０ｍＷ以下（４２９、４４９ＭＨｚ）と比較的大きい電力で通信することができる。到達距離も約１００ｍ程度あり、比較的離れた場所での通信に用いることが可能である。また、データのフォーマット等の規定があり、通信の信頼性が比較的高い。通信を行なう場合はその通信の相手をあらかじめユニットとして登録する必要がある。しかしながら、このような通信を行なうために無線ユニットの構成が複雑になり、制御方式も複雑なものになるため、比較的高価なものになってしまう。
【０００７】
そこで、本発明では、コントローラと第１の照明器具は特定小電力無線を用いて通信する。また、第１の照明器具と第２の照明器具は微弱無線を用いて通信する。
【０００８】
なお、コントローラには点灯、消灯、調光のための操作部のほか、人感センサや明るさセンサを設けても良い。また、コントローラや第１の照明器具は複数であっても良く、第１の照明器具の間でも通信できるようにしても良い。
【０００９】
【発明の実施の形態】
（実施の形態１）
本発明の実施の形態１の構成を図１に示す。図中、１はコントローラであり、このコントローラ１により照明の制御を行なう。コントローラ１の操作により照明器具の点灯、消灯、調光による点灯レベル変更などを行なう。コントローラ１からの信号は親器具２が受信し、親器具２がその内容を子器具３に伝えるものとする。
【００１０】
コントローラ１は、図２に示すように、点灯、消灯などの操作を行なう操作部１１と、操作された情報を解釈し、その内容を無線送信部１３に伝える制御部１２と、情報を無線で送信し伝送させるための無線送信部１３と、電波を送信する送信アンテナ１４とから構成されている。
【００１１】
親器具２は、図３に示すように、コントローラ１からの電波を受信する受信アンテナ２１と、その受信した電波を信号に変換する無線受信部２２と、信号を解釈して点灯装置２６に点灯情報を伝えたり、子器具３にデータを送信するために子器具通信用の無線送信部２４にデータを送る制御部２３と、情報を無線で送信し伝送させるための無線送信部２４と、電波を送信する送信アンテナ２５と、照明器具を構成する点灯装置２６および光源２７とから構成されている。
【００１２】
子器具３は、図４に示すように、親器具２からの電波を受信する受信アンテナ３１、その受信した電波を信号に変換する無線受信部３２、信号を解釈して点灯装置３４に点灯情報を伝える制御部３３と、照明器具を構成する点灯装置３４および光源３５とから構成されている。
【００１３】
コントローラ１からの操作情報は、その操作内容を意味する無線のデータとして親器具２に送信される。コントローラ１と親器具２の間は、フロアの壁スイッチと天井の照明器具などのように、比較的離れている可能性があるので、特定小電力無線を用いる。コントローラ１からの信号を受信した親器具２は、その信号を子器具３に中継送信する動作と、自己の点灯装置２６にその点灯情報を送る動作を行なう。
【００１４】
親器具２と子器具３はコントローラ１と親器具２との通信とは別の周波数の無線を用いる。このようにすることにより、親器具２と子器具３との通信は親器具２とコントローラ１との通信とは別のものになるので、通信の信頼性が向上する。ここで、器具同士の通信を考えると、親器具２と子器具３との通信は親器具２とコントローラ１との通信に比べて器具間隔は狭い（通常の事務所では１〜２ｍの間隔である）ので、短距離の通信で達成することが可能であり、微弱無線を用いることができる。微弱無線を用いると、装置も簡単で安価になり、登録作業も不要であるので、施工が容易になる。登録作業は親器具２に対して行なうだけであり、全てを特定小電力無線を用いて構成するよりも施工性にすぐれ、構成も簡単になるので、全体として安価なシステムを構成することができる。
【００１５】
（実施の形態２）
本発明の実施の形態２の構成を図５に示す。実施の形態１との違いは、コントローラ１の操作部１１の代わりに、人を検知する人感センサ１５を用いて、人が来ると人感センサ１５が検知信号を無線送信する。照明器具は検知信号を受信すると所定の時間ランプを点灯させ、人がいなくなると消灯させる。このようにすることにより、信号線を配線することなく、複数の照明器具を人感センサに連動させることができる。また、器具の増設も信号線の配線が必要ないので、容易に行なうことができる。
【００１６】
（実施の形態３）
本発明の実施の形態３の構成を図６に示す。実施の形態１との違いは、コントローラ１の操作部１１の代わりに、周囲の明るさを検知する明るさセンサ１６を用いて、周囲の明るさの情報を無線送信するものである。照明器具は明るさの情報を受けると、あらかじめ設定している明るさと比較して、照明が明るければランプを調光させて所定の明るさになるように制御する。逆に暗ければ、ランプの出力を上げて所定の明るさになるように制御する。このようにすることにより、信号線を配線することなく、複数の照明器具を明るさセンサの検知情報により出力制御することができ、余分な出力も出さないので省エネが実現できる。また、器具の増設も信号線の配線が必要ないので、容易に行なうことができる。
【００１７】
（実施の形態４）
本発明の実施の形態４の構成を図７に示す。本実施の形態は実施の形態２と実施の形態３の組み合わせであり、人感センサ１５と明るさセンサ１６とを組み合わせて利用するものである。このようにすることにより、信号線を配線することなく、複数の照明器具を人感センサと明るさセンサの検知情報により制御することができ、余分な出力も出さないので省エネが実現できる。また、器具の増設も信号線の配線が必要ないので、容易に行なうことができる。
【００１８】
（実施の形態５）
本発明の実施の形態５の構成を図８に示す。実施の形態１との違いはコントローラ１を複数用いる点である。これにより、複数の場所で操作が可能になり、操作性が向上する。操作部の代わりにセンサを用いる実施の形態２〜４においても同様にコントローラ１を複数設置することは可能である。
【００１９】
（実施の形態６）
本発明の実施の形態６の構成を図９に示す。本実施の形態では、親器具同士の通信を行なわせるものである。親器具２の間の通信は特定小電力無線を用いて行なう。また、それぞれの親器具２から子器具３への信号の伝送には微弱無線を用いる。親器具２は信号を受信するだけではなく、自分の情報（センサの検知情報など）を送信する機能を持つ。それぞれの親器具２は、コントローラからの信号の代わりに、他の親器具からの信号を受信して動作する。これにより例えばセンサの情報などを広い範囲に伝送することができ、比較的簡単なシステムで大きいエリアを制御することができる。
【００２０】
（実施の形態７）
本発明の実施の形態７の構成を図１０に示す。上述の実施の形態６では、親器具同士の通信が１：１であるのに対して、本実施の形態では、さらに多数の親器具同士の通信を可能にして、より広い範囲にわたって制御することができるようにしたものである。微弱エリアＡ，Ｂ，Ｃではそれぞれ微弱無線により親器具２から子器具３に無線信号が伝送され、各微弱エリアＡ，Ｂ，Ｃを統括する親器具２の間では特定小電力無線により無線信号が伝送される。
【００２１】
（実施の形態８）
本発明の実施の形態８の構成を図１１に示す。図のようなフロアを考えた場合、フロアには１５台の照明器具ａ〜ｏが設置されている。このうち仮に器具ｃ，ｆ，ｊ，ｍに親器具の機能を持たせる。他の器具は子器具とする。親器具はコントローラ１からの信号を受信し、その内容を子器具に伝送するものとする。子器具は親器具からの信号を受けて動作する。例えば器具ｂは親器具ｃからの信号で原則として動作する。ここで各子器具は微弱無線を用いており親器具に対する登録作業が不要であるので、複数の親器具からの信号を受けるようにする。例えば子器具ｂでは親器具ｃからの信号だけでなく親器具ｆの信号でも動作することになり、親器具ｃが不動作であったり、親器具ｃからの信号がうまく受信できない場合でも親器具ｆからの信号で動作することが可能になる。同様に子器具ｈではすべての親器具からの信号で動作することができ、動作の信頼性が向上する。このようにすることにより、子器具の動作の信頼性向上が可能となる。また、複数の親器具からの信号で動作するので、親器具と子器具の配置設計も比較的簡単になり、設計・施工作業の効率が向上する。
【００２２】
【発明の効果】
本発明によれば、信号線の工事、配線が不要であり、そのため、施工が容易であり、レイアウトの変更などに容易に対応できる。また、複雑な制御を行なう部分を最小限にするので、設定作業も少なくて済む。またシステムとしても複雑、高価な部分は最小限としながら、広い範囲の制御ができる。
【図面の簡単な説明】
【図１】本発明の実施の形態１の全体構成を示す説明図である。
【図２】本発明の実施の形態１のコントローラの内部構成を示すブロック図である。
【図３】本発明の実施の形態１の親器具の内部構成を示すブロック図である。
【図４】本発明の実施の形態１の子器具の内部構成を示すブロック図である。
【図５】本発明の実施の形態２の全体構成を示す説明図である。
【図６】本発明の実施の形態３の全体構成を示す説明図である。
【図７】本発明の実施の形態４の全体構成を示す説明図である。
【図８】本発明の実施の形態５の全体構成を示す説明図である。
【図９】本発明の実施の形態６の全体構成を示す説明図である。
【図１０】本発明の実施の形態７の全体構成を示す説明図である。
【図１１】本発明の実施の形態８の全体構成を示す説明図である。
【図１２】従来の照明装置の全体構成を示す説明図である。
【符号の説明】
１    コントローラ
２    親器具
３    子器具
【図１】
0004627914.tif 000002
【図２】
0004627914.tif 000003
【図３】
0004627914.tif 000004
【図４】
0004627914.tif 000005
【図５】
0004627914.tif 000006
【図６】
0004627914.tif 000007
【図７】
0004627914.tif 000008
【図８】
0004627914.tif 000009
【図９】
0004627914.tif 000010
【図１０】
0004627914.tif 000011
【図１１】
0004627914.tif 000012
【図１２】
0004627914.tif 000013